【手続補正書】
【提出日】平成19年7月3日(2007.7.3)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  用紙を搬送する搬送手段と、用紙の有無を検知する検知手段から得られる情報に基づいて搬送されている用紙の位置を判断する第１判断手段を有する画像形成装置において、前記第１判断手段によって先行紙Ａの後端に後続紙Ｂの先端が追いつくと判断した時に、前記搬送手段による後続紙Ｂの搬送を一時的に遅らせることを特徴とする画像形成装置。
【請求項２】  請求項１に記載の画像形成装置において、複数の搬送速度テーブルを格納した速度テーブル記憶手段と、前記搬送速度テーブルの情報に基づいて前記搬送手段を制御する制御手段を有し、画像形成装置内の所定の位置を境に画像形成装置の上流の搬送速度Ｖ１よりも画像形成装置の下流の搬送速度Ｖ２の方が遅い搬送形態を有する搬送経路で、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
【請求項３】  請求項２に記載の画像形成装置において、前記搬送手段によって搬送される用紙の斜行を補正するレジ手段を有し、該レジ手段の位置を境として画像形成装置の上流の搬送速度Ｖ１よりも画像形成装置の下流の搬送速度Ｖ２の方が遅い搬送形態を有する搬送経路で、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
【請求項４】  請求項３に記載の画像形成装置において、先行紙Ａが前記レジ手段を抜けきっているか否かを判断する第３判断手段を有し、該第３判断手段によって先行紙Ａが前記レジ手段を抜けきっていないと判断した場合にのみ、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
【請求項５】  請求項４に記載の画像形成装置において、先行紙Ａの後端が前記レジ手段を抜けきるまでの時間ＴＡを割り出す第１演算手段と、該第１演算手段によって割り出した時間ＴＡを格納する第２記憶手段と、後続紙Ｂの先端が前記レジ手段に到着するまでの時間ＴＢを割り出す第２演算手段と、該第２演算手段によって割り出した時間ＴＢを格納する第３記憶手段と、これら第２、第３記憶手段に格納した前記時間ＴＡと前記時間ＴＢを比較する比較手段を有し、該比較手段によりＴＡ＞ＴＢの結果を認識した時、即ち、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
【請求項６】  請求項５に記載の画像形成装置において、前記比較手段によりＴＡ＞ＴＢとして前記第１判断手段によって先行紙Ａの後端に後続紙Ｂの先端が追いつくと判断した時に、前記第２、第３記憶手段に格納された前記時間ＴＡと前記時間ＴＢを基に、どの程度先行紙Ａの後端に後続紙Ｂの先端が追いつくのかを演算する第３演算手段と、該第３演算手段によって割り出された時間Ｔ１を格納する第４記憶手段を有し、該第４記憶手段によって格納されている時間Ｔ１に基づき、前記制御手段の指示に従って紙搬送を行う前記搬送手段による後続紙Ｂの搬送を一時的に遅らせることを特徴とする画像形成装置。
【請求項７】  請求項６に記載の画像形成装置において、前記第４記憶手段によって格納されている前記時間Ｔ１に基づき、前記制御手段の指示に従って紙搬送を行う前記搬送手段による後続紙Ｂの搬送を一時的に停止させることを特徴とする画像形成装置。
【請求項８】  請求項７に記載の画像形成装置において、前記時間Ｔ１を距離換算したＳ（Ｔ１）を求める第４演算手段と、該第４演算手段で求めたＳ（Ｔ１）を格納する第５記憶手段と、搬送停止時間Ｙとして、前記時間Ｔ１分遅らせるために減速・停止・加速を行ったときにかかる総時間を距離換算したＳ（Ｙ）を求める第５演算手段と、該第５演算手段で求めたＳ（Ｙ）を格納する第６記憶手段と、これら第５、第６記憶手段に格納しているＳ（Ｔ１）と、Ｓ（Ｙ）を基に前記搬送停止時間Ｙを求める第６演算手段と、該第６演算手段によって求めた前記搬送停止時間Ｙを基に、前記制御手段の指示に従って紙搬送を行う前記搬送手段による後続紙Ｂの搬送を一時的に遅らせることを特徴とする画像形成装置。
【請求項９】  用紙を搬送する前記搬送手段と、用紙の有無を検知する前記検知手段から得られる情報に基づいて搬送される用紙の位置を判断する前記第１判断手段を有する画像形成装置において、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
【請求項１０】  請求項９に記載の画像形成装置において、複数の搬送速度テーブルを格納した前記速度テーブル記憶手段と、前記搬送速度テーブルの情報に基づいて前記搬送手段を制御する前記制御手段を有し、画像形成装置内の所定の位置を境に画像形成装置の上流の搬送速度Ｖ１よりも画像形成装置の下流の搬送速度Ｖ２の方が遅いという搬送形態を有する前記搬送経路で、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
【請求項１１】  請求項１０に記載の画像形成装置において、前記搬送手段によって搬送される用紙の斜行を補正する前記レジ手段を有し、前記レジ手段の位置を境として画像形成装置の上流の搬送速度Ｖ１よりも画像形成装置の下流の搬送速度Ｖ２の方が遅いという搬送形態を有する前記搬送経路で、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
【請求項１２】  請求項１１に記載の画像形成装置において、先行紙Ａが前記レジ手段を抜けきっているか否かを判断する前記第３判断手段を有し、前記第３判断手段によって先行紙Ａが前記レジ手段を抜けきっていないと判断した場合にのみ、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
【請求項１３】  請求項１２に記載の画像形成装置において、先行紙Ａの後端が前記レジ手段を抜けきるまでの時間ＴＡを割り出す第１演算手段と、前記第１演算手段によって割り出した時間ＴＡを格納する第２記憶手段と、後続紙Ｂの先端が前記レジ手段に到着するまでの時間ＴＢを割り出す第２演算手段と、前記第２演算手段によって割り出した時間ＴＢを格納する第３記憶手段と、前記第２、第３記憶手段に格納した前記時間ＴＡと前記時間ＴＢを比較する前記比較手段を有し、前記比較手段により時間ＴＡ＜時間ＴＢの結果を認識した時、即ち、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
【請求項１４】  請求項１３に記載の画像形成装置において、前記比較手段によりＴＡ＜ＴＢとして前記第１判断手段によって搬送中の先行紙Ａと後続紙Ｂの時間間隔が所定の間隔よりも大きくなってしまうと判断した時に、前記第２、第３記憶手段に格納された前記時間ＴＡと前記時間ＴＢを基に、先行紙Ａと後続紙Ｂの時間間隔が所定の間隔に対してどの程度差があるのかを演算する第７演算手段と、該第７演算手段によって割り出された時間Ｔ２を格納する第７記憶手段を有し、前記第７記憶手段によって格納されている時間Ｔ２に基づき、前記搬送手段により後続紙Ｂの後続紙Ｃの搬送タイミングを補正する制御を行うことを特徴とする画像形成装置。
【手続補正３】
【補正対象書類名】明細書
【補正対象項目名】００１０
【補正方法】変更
【補正の内容】
【００１０】
（１）用紙を搬送する搬送手段と、用紙の有無を検知する検知手段から得られる情報に基づいて搬送されている用紙の位置を判断する第１判断手段を有する画像形成装置において、前記第１判断手段によって先行紙Ａの後端に後続紙Ｂの先端が追いつくと判断した時に、前記搬送手段による後続紙Ｂの搬送を一時的に遅らせることを特徴とする画像形成装置。
（２）前記（１）に記載の画像形成装置において、複数の搬送速度テーブルを格納した速度テーブル記憶手段と、前記搬送速度テーブルの情報に基づいて前記搬送手段を制御する制御手段を有し、画像形成装置内の所定の位置を境に画像形成装置の上流の搬送速度Ｖ１よりも画像形成装置の下流の搬送速度Ｖ２の方が遅い搬送形態を有する搬送経路で、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
（３）前記（２）に記載の画像形成装置において、前記搬送手段によって搬送される用紙の斜行を補正するレジ手段を有し、該レジ手段の位置を境として画像形成装置の上流の搬送速度Ｖ１よりも画像形成装置の下流の搬送速度Ｖ２の方が遅い搬送形態を有する搬送経路で、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
（４）前記（３）に記載の画像形成装置において、先行紙Ａが前記レジ手段を抜けきっているか否かを判断する第３判断手段を有し、該第３判断手段によって先行紙Ａが前記レジ手段を抜けきっていないと判断した場合にのみ、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
（５）前記（４）に記載の画像形成装置において、先行紙Ａの後端が前記レジ手段を抜けきるまでの時間ＴＡを割り出す第１演算手段と、該第１演算手段によって割り出した時間ＴＡを格納する第２記憶手段と、後続紙Ｂの先端が前記レジ手段に到着するまでの時間ＴＢを割り出す第２演算手段と、該第２演算手段によって割り出した時間ＴＢを格納する第３記憶手段と、これら第２、第３記憶手段に格納した前記時間ＴＡと前記時間ＴＢを比較する比較手段を有し、該比較手段によりＴＡ＞ＴＢの結果を認識した時、即ち、前記第１判断手段によって先行紙Ａの後端に後続紙Ｂの先端が追いつくと判断した時に、前記制御手段の指示に従って紙搬送を行う前記搬送手段による後続紙Ｂの搬送を一時的に遅らせることを特徴とする画像形成装置。
（６）前記（５）に記載の画像形成装置において、前記比較手段によりＴＡ＞ＴＢとして前記第１判断手段によって先行紙Ａの後端に後続紙Ｂの先端が追いつくと判断した時に、前記第２、第３記憶手段に格納された前記時間ＴＡと前記時間ＴＢを基に、どの程度先行紙Ａの後端に後続紙Ｂの先端が追いつくのかを演算する第３演算手段と、該第３演算手段によって割り出された時間Ｔ１を格納する第４記憶手段を有し、該第４記憶手段によって格納されている時間Ｔ１に基づき、前記制御手段の指示に従って紙搬送を行う前記搬送手段による後続紙Ｂの搬送を一時的に遅らせることを特徴とする画像形成装置。
（７）前記（６）に記載の画像形成装置において、前記第４記憶手段によって格納されている前記時間Ｔ１に基づき、前記制御手段の指示に従って紙搬送を行う前記搬送手段による後続紙Ｂの搬送を一時的に停止させることを特徴とする画像形成装置。
（８）前記（７）に記載の画像形成装置において、前記時間Ｔ１を距離換算したＳ（Ｔ１）を求める第４演算手段と、該第４演算手段で求めたＳ（Ｔ１）を格納する第５記憶手段と、搬送停止時間Ｙとして、前記時間Ｔ１分遅らせるために減速・停止・加速を行ったときにかかる総時間を距離換算したＳ（Ｙ）を求める第５演算手段と、該第５演算手段で求めたＳ（Ｙ）を格納する第６記憶手段と、これら第５、第６記憶手段に格納しているＳ（Ｔ１）と、Ｓ（Ｙ）を基に前記搬送停止時間Ｙを求める第６演算手段と、該第６演算手段によって求めた前記搬送停止時間Ｙを基に、前記制御手段の指示に従って紙搬送を行う前記搬送手段による後続紙Ｂの搬送を一時的に遅らせることを特徴とする画像形成装置。
（９）用紙を搬送する前記搬送手段と、用紙の有無を検知する前記検知手段から得られる情報に基づいて搬送される用紙の位置を判断する前記第１判断手段を有する画像形成装置において、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
（１０）前記（９）に記載の画像形成装置において、複数の搬送速度テーブルを格納した前記速度テーブル記憶手段と、前記搬送速度テーブルの情報に基づいて前記搬送手段を制御する前記制御手段を有し、画像形成装置内の所定の位置を境に画像形成装置の上流の搬送速度Ｖ１よりも画像形成装置の下流の搬送速度Ｖ２の方が遅いという搬送形態を有する前記搬送経路で、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
（１１）前記（１０）に記載の画像形成装置において、前記搬送手段によって搬送される用紙の斜行を補正する前記レジ手段を有し、前記レジ手段の位置を境として画像形成装置の上流の搬送速度Ｖ１よりも画像形成装置の下流の搬送速度Ｖ２の方が遅いという搬送形態を有する前記搬送経路で、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
（１２）前記（１１）に記載の画像形成装置において、先行紙Ａが前記レジ手段を抜けきっているか否かを判断する前記第３判断手段を有し、前記第３判断手段によって先行紙Ａが前記レジ手段を抜けきっていないと判断した場合にのみ、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
（１３）前記（１２）に記載の画像形成装置において、先行紙Ａの後端が前記レジ手段を抜けきるまでの時間ＴＡを割り出す第１演算手段と、前記第１演算手段によって割り出した時間ＴＡを格納する第２記憶手段と、後続紙Ｂの先端が前記レジ手段に到着するまでの時間ＴＢを割り出す第２演算手段と、前記第２演算手段によって割り出した時間ＴＢを格納する第３記憶手段と、前記第２、第３記憶手段に格納した前記時間ＴＡと前記時間ＴＢを比較する前記比較手段を有し、前記比較手段により時間ＴＡ＜時間ＴＢの結果を認識した時、即ち、前記第１判断手段によって搬送中の先行紙Ａと後続紙Ｂの時間間隔が所定の間隔よりも大きくなってしまうと判断した時に、前記搬送手段により後続紙Ｂの後続紙Ｃの搬送タイミングを補正する制御を行うことを特徴とする画像形成装置。
（１４）前記（１３）に記載の画像形成装置において、前記比較手段によりＴＡ＜ＴＢとして前記第１判断手段によって搬送中の先行紙Ａと後続紙Ｂの時間間隔が所定の間隔よりも大きくなってしまうと判断した時に、前記第２、第３記憶手段に格納された前記時間ＴＡと前記時間ＴＢを基に、先行紙Ａと後続紙Ｂの時間間隔が所定の間隔に対してどの程度差があるのかを演算する第７演算手段と、該第７演算手段によって割り出された時間Ｔ２を格納する第７記憶手段を有し、前記第７記憶手段によって格納されている時間Ｔ２に基づき、前記搬送手段により後続紙Ｂの後続紙Ｃの搬送タイミングを補正する制御を行うことを特徴とする画像形成装置。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】